(57)【要約】【課題】訴求効果をより高めることができる立体表示体を提供すること。【解決手段】立体表示体１は、少なくとも１つの開口部１２が設けられた支持体１０と、第１シート及び第２シートからなり、それぞれのシート側縁が互いに接合されたシート構造体２０と、を備え、シート構造体２０は、前記第１シートが支持体１０の第１面から突出するように立体的に開口部１２に装着される。【選択図】図１
2020154036.tif 000002
【特許請求の範囲】
【請求項１】
少なくとも１つの開口部が設けられた支持体と、
第１シート及び第２シートからなり、それぞれのシート側縁が互いに接合されたシート構造体と、を備え、
前記シート構造体は、前記第１シートが前記支持体の第１面から突出するように立体的に前記開口部に装着される、
立体表示体。
【請求項２】
請求項１に記載の立体表示体において、
前記シート構造体は、前記第１シートが前記支持体の第１面から突出し、前記第２シートが前記支持体の前記第１面とは反対側の第２面から突出するように立体的に前記開口部に装着される、
立体表示体。
【請求項３】
請求項１又は２に記載の立体表示体において、
前記第１シートは光透過性領域を有する、
立体表示体。
【請求項４】
請求項１から３までのいずれか一項に記載の立体表示体において、
前記シート構造体は、外周部分に第１係合部を有し、
前記支持体は、前記シート構造体の前記第１係合部と係合することにより、前記シート構造体を立体的に保持する第２係合部を前記開口部の内周近傍に有する、
立体表示体。
【請求項５】
請求項４に記載の立体表示体において、
前記第１係合部は、前記第１シート及び前記第２シートのそれぞれのシート側縁が接合された接合部であり、
前記第２係合部は、前記接合部の少なくとも一部が挿入される挿入穴である、
立体表示体。
【請求項６】
請求項１から５までのいずれか１項に記載の立体表示体において、
前記第１シート及び前記第２シートのいずれか一方のシートは、他方のシートよりもシート側縁に沿う方向の寸法が長く形成されている、
立体表示体。
【発明の詳細な説明】
【技術分野】
【０００１】
本発明は、立体表示体に関する。
【背景技術】
【０００２】
従来、商品等の広告、宣伝用の媒体として、立体的な広告用表示装置が提案されている（例えば、特許文献１参照）。
【先行技術文献】
【特許文献】
【０００３】
【特許文献１】実用新案登録第３０８９１５７号公報
【発明の概要】
【発明が解決しようとする課題】
【０００４】
上記表示装置は、前面に設けられる本体パネルがフラットであるため、本体パネルに表示された商品情報に見た目の変化が乏しく、訴求面となる本体パネルに表示された商品情報や広告等に対する興味、関心を喚起しにくい。そのため、訴求効果をより高めることが求められている。
【０００５】
本発明の目的は、訴求効果をより高めることができる立体表示体を提供することにある。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
【０００７】
第１の発明は、少なくとも１つの開口部（１２）が設けられた支持体（１０）と、第１シート（２１）及び第２シート（２２）からなり、それぞれのシート側縁（２１ａ、２２ａ）が互いに接合されたシート構造体（２０）と、を備え、前記シート構造体は、前記第１シートが前記支持体の第１面から突出するように立体的に前記開口部に装着される立体表示体（１）に関する。
【０００８】
第２の発明は、第１の発明に係る立体表示体において、前記シート構造体は、前記第１シートが前記支持体の第１面から突出し、前記第２シートが前記支持体の前記第１面とは反対側の第２面から突出するように立体的に前記開口部に装着される。
【０００９】
第３の発明は、第１又は第２の発明に係る立体表示体において、前記第１シートは光透過性領域を有する。
【００１０】
第４の発明は、第１から３までのいずれかの発明に係る立体表示体において、前記シート構造体は、外周部分に第１係合部（２３）を有し、前記支持体は、前記シート構造体の前記第１係合部と係合することにより、前記シート構造体を立体的に保持する第２係合部（Ｓ１）を前記開口部の内周近傍に有する。
【００１１】
第５の発明は、第４の発明に係る立体表示体において、前記第１係合部は、前記第１シート及び前記第２シートのそれぞれのシート側縁が接合された接合部であり、前記第２係合部は、前記接合部の少なくとも一部が挿入される挿入穴である。
【００１２】
第６の発明は、第１から第５までのいずれかの発明に係る立体表示体において、前記第１シート及び前記第２シートのいずれか一方のシートは、他方のシートよりもシート側縁に沿う方向の寸法が長く形成されている。
【発明の効果】
【００１３】
本発明によれば、訴求効果をより高めることができる立体表示体を提供できる。
【図面の簡単な説明】
【００１４】
【図１】（Ａ）は、実施形態の立体表示体１を前側から見たときの斜視図である。（Ｂ）は、立体表示体１を後側から見たときの斜視図である。
【図２】（Ａ）は、支持体１０を前側から見たときの正面図である。（Ｂ）は、支持体１０を後側から見たときの背面図である。
【図３】（Ａ）は、枠部１４の平面図である。（Ｂ）は、枠部１４のフラップ１４２を開いた状態を示す平面図である。
【図４】（Ａ）は、支持体１０における枠部１４の接着範囲を示す平面図である。（Ｂ）は、支持体１０及び枠部１４の開口部ＯＰに商品モデル２０を装着した場合の平面図である。
【図５】商品モデル２０の分解斜視図である。
【図６】（Ａ）は、畳まれた商品モデル２０を示す平面図である。（Ｂ）は、立体的な形状の商品モデル２０を示す斜視図である。
【図７】（Ａ）〜（Ｃ）は、支持体１０に商品モデル２０を装着する手順を説明する図である。
【図８】第１変形形態の支持体１０Ａの分解斜視図である。
【図９】（Ａ）は、第１変形形態の支持体１０Ａを後側から見た図である。（Ｂ）は、図９（Ｃ）のａ−ａ線断面図である。
【図１０】（Ａ）は、第２実施形態の支持体１０Ｂの展開図である。（Ｂ）は、第２実施形態の支持体１０Ｂを後側から見た図である。
【発明を実施するための形態】
【００１５】
以下、本発明の実施形態について説明する。本明細書に添付した各図面は、いずれも模式図であり、理解しやすさを考慮して、各部の形状、縮尺、縦横の寸法比等を、実物から適宜に変更又は誇張している。
本明細書中に記載する数値、形状、材料名等は、実施形態としての一例であり、これに限定されるものではなく、適宜に選択して使用してよい。
【００１６】
実施形態の各図面においては、部材の形状、輪郭を実線又は破線で表し、厚み部分の図示を適宜に省略している。本明細書中において、形状、幾何学的条件、これらの程度を特定する用語、例えば、「直交」、「方向」等の用語については、その用語の厳密な意味に加えて、ほぼ直交等とみなせる程度の範囲、概ねその方向とみなせる範囲を含む。また、図面においては、部材の断面を示すハッチングを適宜に省略する。
【００１７】
実施形態では、図面にＸＹＺの互いに直交する座標系を記載した。この座標系は、立体表示体１を正面から見たときの左右方向をＸ方向、前後方向をＹ方向、上下方向をＺ方向とする。左右方向（Ｘ方向）においては、図中の右方向をＸ１方向とし、左方向をＸ２方向とする。前後方向（Ｙ方向）においては、図中の前方向をＹ１方向とし、後方向をＹ２方向とする。上下方向（Ｚ方向）においては、図中の上方向をＺ１方向とし、下方向をＺ２方向とする。なお、本明細書においては、「〜方向」を適宜に「〜側」ともいう。
【００１８】
図１（Ａ）は、実施形態の立体表示体１を前側から見たときの斜視図である。図１（Ｂ）は、立体表示体１を後側から見たときの斜視図である。図２（Ａ）は、支持体１０を前側から見たときの正面図である。図２（Ｂ）は、支持体１０を後側から見たときの背面図である。図３（Ａ）は、枠部１４の平面図である。図３（Ｂ）は、枠部１４のフラップ１４２を開いた状態を示す平面図である。
【００１９】
本実施形態の立体表示体１は、例えば、訴求したい商品であるアルコールやソフトドリンク等の飲料水用の広告物として構成される。本実施形態の立体表示体１には、飲料水の注がれたグラスを模した商品モデル２０（後述）が装着される。立体表示体１は、例えば、商品を小売り販売する店舗の陳列棚や、商品を訴求するためのイベント会場のほか、商品の飲料水をメニュー品として提供する飲食店のカウンター、テーブル等に設置される。
【００２０】
図１（Ａ）に示すように、立体表示体１は、支持体１０と、商品モデル（シート構造体）２０と、を備える。
支持体１０は、商品情報や広告等を表示すると共に、商品モデル２０を立体的に支持する部材である。支持体１０は、パネル部１１と、枠部１４と、を備える。
パネル部１１は、支持体１０において、前側（Ｙ１側）に配置される部材である。パネル部１１として使用可能な材料としては、例えば、各種の紙材、プラスチック材等が挙げられる。これらの材料は、それぞれ単独で使用してもよいが、例えば、紙同士の複合体、紙とプラスチックとの複合体等、任意の組み合わせによる積層体でもよい。
【００２１】
パネル部１１は、第１面となる前側（Ｙ１側）の面に訴求領域１１ａを有する。パネル部１１の前側は、観察者（例えば、消費者）が立体表示体１を見る側である。訴求領域１１ａは、訴求面として、商品情報や広告等が表示される部分である。訴求領域１１ａには、例えば、商品情報や広告等に関する各種のメッセージ、ロゴ、キャラクターデザイン等が印刷される。また、訴求領域１１ａに液晶ディスプレイを取り付けて、各種のメッセージ、ロゴ、キャラクターデザイン等を表示させてもよいし、訴求領域１１ａにスピーカーを取り付けて、商品情報や広告等に関する音声を流してもよい。なお、訴求領域１１ａは、本実施形態の例に限らず、どの位置に設けてもよい。また、訴求領域１１ａを設けない構成としてもよい。
【００２２】
パネル部１１は、図２（Ａ）に示すように、訴求領域１１ａの右側（Ｘ１側）に開口部１２を有する。開口部１２は、商品モデル２０が装着される穴であり、略四角形に形成されている。開口部１２は、立体的な形状の商品モデル２０（図６参照）を装着可能な大きさに形成されている。
パネル部１１の後側（Ｙ２側）には、図１（Ｂ）に示すように、足部１３が設けられている。足部１３は、パネル部１１を後側に傾いた状態で支える部材である。足部１３は、例えば、パネル部１１と同じ材料により構成される。
【００２３】
パネル部１１の後側（Ｙ２側）には、図１（Ｂ）に示すように、枠部１４が設けられている。枠部１４は、パネル部１１との間に形成される隙間Ｓ１（後述）によって、商品モデル２０を立体的に支持する部材である。枠部１４は、図２（Ｂ）に示すように、パネル部１１の後側であって、開口部１２と一致する位置に設けられている。
【００２４】
枠部１４は、支持体１０において、第１面とは反対側の第２面となる後側（Ｙ２側）の面に配置される部材である。枠部１４は、例えば、接着剤を介してパネル部１１の後側の面に貼り付けられる。枠部１４として使用可能な材料は、パネル部１１と同じく、各種の紙材、プラスチック材等が挙げられる。これらの材料は、それぞれ単独で使用してもよいが、例えば、紙同士の複合体、紙とプラスチックとの複合体等、任意の組み合わせによる積層体でもよい。パネル部１１の後ろ側の面に枠部１４が接着される範囲については、後述する。
【００２５】
枠部１４は、図３（Ａ）に示すように、額縁状に形成され、中央に開口部１４１が設けられている。開口部１４１は、商品モデル２０が装着される穴であり、略四角形に形成されている。本実施形態の開口部１４１は、パネル部１１の開口部１２と同一形状に形成されている。本実施形態では、パネル部１１に枠部１４が貼り付けられた状態で、パネル部１１の開口部１２と、枠部１４の開口部１４１とにより形成される開口領域を「開口部ＯＰ」ともいう。
【００２６】
枠部１４は、各四隅にフラップ１４２を備えている。フラップ１４２は、開口部ＯＰに装着された商品モデル２０を、支持体１０から外れにくくするための部材である。フラップ１４２は、略三角形に形成されている。図３（Ａ）に示すように、フラップ１４２の底辺部１４２ａは、枠部１４と一体に形成されている。フラップ１４２の斜辺部１４２ｂ及び１４２ｃは、底辺部１４２ａとつながっている部分を除いて、それぞれ枠部１４から切り離されている。このうち、斜辺部１４２ｂと枠部１４との間には、切れ目ＣＬが形成されている。そのため、図３（Ｂ）に示すように、各フラップ１４２は、底辺部１４２ａの位置から、斜辺部１４２ｂ及び１４２ｃを枠部１４の外側に向けて開くことができる。
【００２７】
図４（Ａ）は、パネル部１１における枠部１４の接着範囲を示す平面図である。図４（Ｂ）は、パネル部１１及び枠部１４の開口部ＯＰに商品モデル２０を装着した場合の平面図である。
図４（Ａ）に示すように、パネル部１１において、枠部１４は、内側に向けたフラップ１４２の外側の範囲（斜線部）に接着される。そのため、フラップ１４２の外側の領域には、パネル部１１と枠部１４とが接着されていない隙間（挿入穴）Ｓが形成される。隙間Ｓ１は、後述する商品モデル２０の接合部２３（第１係合部）が挿入される挿入穴（第２係合部）となる。図４（Ｂ）に示すように、商品モデル２０の接合部２３の上下端を、４か所のフラップ１４２の部分に形成された隙間Ｓ１にそれぞれ挿入することにより、支持体１０に商品モデル２０を装着できる。なお、支持体１０に形成された開口部ＯＰに商品モデル２０を装着する方法については、後述する。
【００２８】
次に、商品モデル２０について説明する。
図５は、商品モデル２０の分解斜視図である。図６（Ａ）は、畳まれた商品モデル２０を示す平面図である。図６（Ｂ）は、立体的な形状の商品モデル２０を示す斜視図である。なお、単体の商品モデル２０において、左右方向及び上下方向は特に規定されないが、図５及び図６（Ａ）では、説明を容易にするため、商品モデル２０を装着した立体表示体１の使用状態における左右方向及び上下方向を、ＸＺの座標系で示している。
【００２９】
図５に示すように、商品モデル２０は、第１シート２１と、第２シート２２と、から構成される。
第１シート２１は、商品モデル２０を支持体１０に装着したときに、立体表示体１の前側（Ｙ１側）に配置される部材である。本実施形態において、第１シート２１は、全面が透明なシート材により構成される。
【００３０】
第２シート２２は、商品モデル２０を支持体１０に装着したときに、立体表示体１の後側（Ｙ２側）に配置される部材である。本実施形態において、第２シート２２の第１シート２１側の面Ｆには、商品イメージに合わせた絵柄が形成される。本実施形態の商品モデル２０は、飲料水の注がれたグラスを模しているため、第２シート２２の面Ｆには、例えば、氷と飲料水とが混在した絵柄が形成される。絵柄は、印刷により形成してもよいし、絵柄の印刷されたシート等を貼り付けてもよい。
【００３１】
第１シート２１の左右方向（Ｘ方向）の両端部には、シート側縁２１ａがそれぞれ設けられている。同様に、第２シート２２の左右方向（Ｘ方向）の両端部には、シート側縁２２ａがそれぞれ設けられている。第１シート２１と第２シート２２の左右方向において、対向するシート側縁同士を、例えば、接着剤を介して接合することにより、商品モデル２０が完成する。以下、商品モデル２０において、接合されたシート側縁の部分を、適宜に「接合部２３」ともいう。
【００３２】
本実施形態の商品モデル２０は、図６（Ａ）に示すように、第１シート２１のシート側縁２１ａに沿う方向（Ｚ方向）の寸法Ｌ１が、第２シート２２のシート側縁２２ａに沿う方向の寸法Ｌ２よりも長くなるように設定されている。第１シート２１の寸法Ｌ１を第２シート２２の寸法Ｌ２よりも長くするのは、支持体１０に商品モデル２０を装着する際に、畳まれた商品モデル２０を立体的に広げやすくするためである。第１シート２１の寸法Ｌ１は、Ｚ１方向及びＺ２方向のいずれも、第２シート２２の寸法Ｌ２よりも、例えば、０．５〜１ｍｍ程度長くなるように設定される。なお、第１シート２１の寸法Ｌ１と第２シート２２の寸法Ｌ２は、同じであってもよいし、第２シート２２の寸法Ｌ２を第１シート２１の寸法Ｌ１よりも長くしてもよい。
【００３３】
商品モデル２０は、後述するように、畳まれた状態で支持体１０に装着される。畳まれた商品モデル２０を支持体１０に装着した後、第１シート２１と第２シート２２を分けるように広げると、商品モデル２０は、図６（Ｂ）に示すように、飲料水のグラスを模した立体的な形状（略円筒形）となる。この形状において、商品モデル２０の手前側の第１シート２１は、全面が透明であるため、観察者は、透明な第１シート２１を通して、奥にある第２シート２２に印刷された絵柄を見ることができる。これにより、商品モデル２０は、実際のグラスに飲料水が注がれているような外観となる。
【００３４】
次に、支持体１０に商品モデル２０を装着する方法について説明する。
図７（Ａ）〜（Ｃ）は、支持体１０に商品モデル２０を装着する手順を説明する図である。図７（Ａ）〜（Ｃ）には、支持体１０及び商品モデル２０の左右方向、前後方向及び上下方向として、図１と同じＸＹＺの座標系を記載している。なお、支持体１０に商品モデル２０を装着する場合は、支持体１０をどのような向きにして作業してもよい。
【００３５】
支持体１０に商品モデル２０を装着する場合、まず、図７（Ａ）に示すように、畳まれた商品モデル２０のＸ１側の接合部２３を、枠部１４（支持体１０）のＸ１側に設けられたフラップ１４２の下から、隙間Ｓ１の中に挿入する（図中、矢印方向）。このとき、商品モデル２０の第１シート２１が開口部ＯＰの側を向くように挿入する。
【００３６】
続いて、図７（Ｂ）に示すように、商品モデル２０をＹ２側に向けて凸状に撓ませる。そして、商品モデル２０のＸ２側の接合部２３を、枠部１４のＸ２側に設けられたフラップ１４２の下から、隙間Ｓ１の中に挿入する（図中、矢印方向）。
次に、図７（Ｃ）に示すように、撓んだ状態の商品モデル２０のＺ方向において、第２シート２２から突出した第１シート２１の端部を矢印方向に押し下げる。このとき、作業者は、第１シート２１の端部に指の爪を引っ掛けて押し下げてもよいし、例えばマイナスドライバーの先端を引っ掛けて押し下げてもよい。
【００３７】
第１シート２１のＺ方向の端部を矢印方向に押し下げることにより、第２シート２２と共にＹ２側に撓んでいた第１シート２１をＹ１側に向けて凸状に撓ませることができる。これにより、商品モデル２０が立体的に広げられ、図１（Ａ）に示すように、第１シート２１が支持体１０から突出した状態となる。
なお、支持体１０に商品モデル２０に装着する場合、上記例とは逆に、商品モデル２０のＸ２側の接合部２３を枠部１４のＸ２側の隙間Ｓ１へ挿入した後に、商品モデル２０のＸ１側の接合部２３を枠部１４のＸ１側の隙間Ｓ１へ挿入するようにしてもよい。
【００３８】
上述した本実施形態の立体表示体１によれば、例えば、以下のような効果を奏する。
実施形態の立体表示体１において、商品モデル２０は、支持体１０の前側（Ｙ１側）と後側（Ｙ２側）にそれぞれ突出した立体的な形状で支持される。そのため、実施形態の立体表示体１においては、前側に突出していない平面的な商品モデルに比べて、商品モデル２０に奥行き感が付与されるため、商品のアピール効果をより高めることができる。このように、立体的な形状の商品モデル２０を備える実施形態の立体表示体１は、商品に対する興味、関心を、従来の広告物に比べて喚起しやすくなるため、訴求効果をより高めることができる。
【００３９】
実施形態の立体表示体１において、商品モデル２０の前側に突出する第１シート２１は、透明なシート材により構成される。そのため、透明な第１シート２１と第２シート２２に印刷された絵柄との間に生じる遠近差により、商品モデル２０を見る角度によって内部の見え方が変化する。これによって、立体表示体１に観察者が接近した場合、平面状に見えた商品モデル２０が近付くにつれて徐々に立体的な形状に見えるようになるため、商品に対する興味、関心をより一層喚起しやすくなる。
【００４０】
実施形態の支持体１０は、開口部１４１の内周近傍に隙間Ｓ１（第２係合部）を有するため、商品モデル２０の接合部２３（第１係合部）を、支持体１０と枠部１４との隙間Ｓ１に係合させることにより、商品モデル２０を開口部１４１の中に容易に装着できる。
実施形態の商品モデル２０において、接合部２３は、第１シート２１のシート側縁２１ａと、第２シート２２のシート側縁２２ａとを接合した部分であるため、接合部２３を撓みにくくできる。そのため、商品モデル２０を支持体１０に装着したときに、接合部２３の撓みによって商品モデル２０が支持体１０の装着位置からずれたり、外れたりする不具合を抑制できる。
【００４１】
実施形態の商品モデル２０において、第１シート２１のシート側縁２１ａに沿う方向の寸法Ｌ１は、第２シート２２のシート側縁２２ａに沿う方向の寸法Ｌ２よりも長くなるように設定されている。そのため、図７（Ｃ）に示すように、撓んだ状態の商品モデル２０において、第２シート２２から突出した第１シート２１の端部を矢印方向に押し下げる際に、第１シート２１の端部に指の爪等を引っ掛けて押し下げることにより、商品モデル２０をより簡単に立体的な形状にできる。
【００４２】
以上、本開示の実施形態について説明したが、本開示は、前述した実施形態に限定されるものではなく、後述する変形形態のように種々の変形や変更が可能であって、それらも本開示の技術的範囲内に含まれる。また、実施形態に記載した効果は、本開示から生じる最も好適な効果を列挙したに過ぎず、実施形態に記載したものに限定されない。なお、上述の実施形態及び後述する変形形態は、適宜に組み合わせて用いることもできるが、詳細な説明は省略する。
【００４３】
（第１変形形態）
図８は、第１変形形態の支持体１０Ａの分解斜視図である。図９（Ａ）は、第１変形形態の支持体１０Ａを後側から見た図である。図９（Ｂ）は、図９（Ｃ）のａ−ａ線断面図である。なお、単体の支持体１０Ａにおいて、左右方向、前後方法及び上下方向は特に規定されないが、図８及び図９では、説明を容易にするため、商品モデル２０を支持体１０Ａに装着した場合の左右方向、前後方向及び上下方向を、ＸＺ又はＸＹＺの座標系で示している。また、図８では、足部１３（図１（Ｂ）参照）の図示を省略している。
【００４４】
図８に示すように、第１変形形態の支持体１０Ａは、第１支持板３０、第２支持板４０及び第３支持板５０を備える。第１変形形態の支持体１０Ａは、上記各支持板の積層体として構成される。第１変形形態の支持体１０Ａは、上記各支持板を積層することにより、実施形態の支持体１０（パネル部１１＋枠部１４）と同じ機能を備えた部材として構成される。第１支持板３０、第２支持板４０及び第３支持板５０は、例えば、実施形態のパネル部１１と同じく、各種の紙材、プラスチック材等により構成される。
【００４５】
第１支持板３０は、支持体１０Ａにおいて、最も前側（Ｙ１側）に配置される部材である。第１支持板３０は、Ｘ１側に開口部３１が設けられている。開口部３１は、商品モデル２０が装着される穴であり、略四角形に形成されている。開口部３１の大きさは、支持体１０Ａに実施形態の商品モデル２０を装着する場合、実施形態の支持体１０に形成された開口部１２と同じとなる。本形態において、開口部３１の左右方向（Ｘ方向）の幅は、他の２枚の支持板に対して最も狭くなる。なお、図示していないが、第１支持板３０は、前側に、実施形態の支持体１０と同じく訴求領域（図１（Ａ）の訴求領域１１ａに相当）を有する。
【００４６】
第２支持板４０は、支持体１０Ａにおいて、第１支持板３０と第３支持板５０との間に配置される部材である。第２支持板４０は、Ｘ１側に開口部４１が設けられている。開口部４１は、商品モデル２０が装着される穴であり、略四角形に形成されている。開口部４１は、左右方向（Ｘ方向）の幅が最も広くなるように形成されている。
【００４７】
第３支持板５０は、支持体１０Ａにおいて、最も後側（Ｙ２側）に配置される部材である。第３支持板５０は、Ｘ１側に開口部５１が設けられている。開口部５１は、商品モデル２０が装着される穴であり、略四角形に形成されている。開口部５１は、左右方向（Ｘ方向）の幅が、開口部３１と開口部４１の中間となるように形成されている。
上述した各支持板の開口部３１、４１及び５１において、上下方向（Ｚ方向）の長さは、共通である。
【００４８】
第１支持板３０、第２支持板４０及び第３支持板５０のそれぞれの合わせ面を、例えば、接着剤を介して接合することにより、第１支持板３０、第２支持板４０及び第３支持板５０は、板状の支持体１０Ａとなる。以下、支持体１０Ａにおいて、第１支持板３０の開口部３１、第２支持板４０の開口部４１及び第３支持板５０の開口部５１により形成される開口領域を「開口部ＯＰ」ともいう。
【００４９】
支持体１０Ａには、図９（Ａ）に示すように、開口部ＯＰの左右方向（Ｘ方向）に、第１支持板３０と第３支持板５０とが接着されていない隙間Ｓ２が形成される。隙間Ｓ２は、本形態において、商品モデル２０の接合部２３（第１係合部）が挿入される挿入穴（第２係合部）となる。図９（Ｂ）に示すように、商品モデル２０の接合部２３を、開口部ＯＰの左右方向に形成された隙間Ｓ２にそれぞれ挿入することにより、支持体１０Ａに商品モデル２０を装着できる。
本形態の支持体１０Ａは、第１支持板３０、第２支持板４０及び第３支持板５０による積層体であるため、支持体１０Ａを大型化した場合（例えば、縦６００ｍｍ×横９００ｍｍ程度）においても、支持体１０Ａの剛性を確保できる。
【００５０】
（第２変形形態）
図１０（Ａ）は、第２実施形態の支持体１０Ｂの展開図である。図１０（Ｂ）は、第２実施形態の支持体１０Ｂを後側から見た図である。なお、単体の支持体１０Ｂにおいて、左右方向及び上下方向は特に規定されないが、図１０では、説明を容易にするため、支持体１０Ｂを含む立体表示体１の使用状態における左右方向及び上下方向を、ＸＺの座標系で示している。また、図１０では、足部１３（図１（Ｂ）参照）の図示を省略している。
【００５１】
図１０（Ａ）に示すように、第２変形形態の支持体１０Ｂは、支持部６０、上側支持部７０及び下側支持部８０を備える。第２変形形態の支持体１０Ｂは、上記各支持部を備えた一枚の板材である。第２変形形態の支持体１０Ｂは、上側支持部７０及び下側支持部８０を、それぞれ支持部６０の側に折り畳むことにより、実施形態の支持体１０（パネル部１１＋枠部１４）と同じ機能を備えた部材として構成される。支持体１０Ｂは、例えば、上述した実施形態の支持体１０と同じく、各種の紙材、プラスチック材等により構成される。
【００５２】
支持部６０は、展開した支持体１０Ｂを折り畳んだときに、最も前側（Ｙ１側）となる部分である。支持部６０は、Ｘ１側に開口部６１が設けられている。開口部６１は、商品モデル２０が装着される穴であり、略四角形に形成されている。開口部６１の大きさは、支持体１０Ｂに実施形態の商品モデル２０を装着する場合、実施形態の支持体１０に形成された開口部１２と同じとなる。なお、図示していないが、支持部６０は、前側に、実施形態の支持体１０と同じく訴求領域（図１（Ａ）の訴求領域１１ａに相当）を有する。
【００５３】
上側支持部７０は、支持部６０のＺ１側に設けられた部分である。上側支持部７０は、上側枠部７１を備える。上側枠部７１は、表裏は逆になるが、図３（Ａ）に示す枠部１４において、上側の約半分と同じ構成を備えている。
下側支持部８０は、支持部６０のＺ２側に設けられた部分である。下側支持部８０は、下側枠部８１を備える。下側枠部８１は、表裏は逆になるが、図３（Ａ）に示す枠部１４において、下側の約半分と同じ構成を備えている。
【００５４】
図１０（Ａ）に示すように、上側支持部７０及び下側支持部８０を、それぞれ支持部６０の側（矢印方向）に折り畳み、それぞれの合わせ面を、例えば、接着剤を介して接合することにより、支持部６０、上側支持部７０及び下側支持部８０は、板状の支持体１０Ｂとなる。折り畳まれた支持体１０Ｂは、図１０（Ｂ）に示すように、後側に枠部１４Ａが形成される。この枠部１４Ａは、図２（Ａ）に示す実施形態の枠部１４と実質的に同じ機能を備えた構造体となる。そのため、第２変形形態の支持体１０Ｂにおいても、実施形態の支持体１０と同様に、枠部１４Ａに商品モデル２０（不図示）を装着できる。
本形態の支持体１０Ｂは、一枚の板材を折り畳んだ構造であるため、支持体１０Ｂの部品点数を削減できる。
【００５５】
（その他の変形形態）
商品モデル２０において、第１シート２１の左右方向（Ｘ方向）の寸法を、第２シート２２の左右方向の寸法よりも長くして、第１シート２１のみが前側（Ｙ１側）に突出するような形状としてもよい。商品モデル２０を上記のように構成した場合でも、前側に突出していない平面的な商品モデルに比べて、商品のアピール効果を高めることができる。
【００５６】
開口部ＯＰは、支持体１０の右側（Ｘ１側）に限らず、どの位置に設けられていてもよい。開口部０Ｐは、支持体１０に複数個所設けられていてもよいし、支持体１０の上下方向（Ｚ方向）に対して傾いていてもよい。
足部１３（図１（Ｂ）参照）は、１か所に限らず、例えば、パネル部１１の左右方向（Ｘ方向）の両端に設けられていてもよい。また、足部１３は、パネル部１１を設置面から浮かせるように支える構成としてもよい。
【００５７】
枠部１４において、フラップ１４２以外の部分をパネル部１１の後側の面に接着することにより、挿入穴Ｓ（第２係合部）に相当する部分を、フラップ１４２とパネル部１１とで形成できる。この部分に商品モデル２０の接合部２３を挿入してもよい。また、枠部１４を、パネル部１１の前側（Ｙ１側）に設けた構成としてもよいし、パネル部１１の前側（Ｙ１側）と後側（Ｙ２側）の両方に設けた構成としてもよい。
【００５８】
第１シート２１は、透明に限らず、光透過性を有するものであれば、例えば、半透明であってもよい。また、このような光透過性を有する領域は、第１シート２１に部分的に形成されていてもよい。更に、光透過性を有する領域は、第２シート２２に形成されていてもよいし、第１シート２１と第２シート２２の両方に形成されていてもよい。
商品モデル２０は、パッケージの形状が円筒形、角柱形等の立体形状であればよく、飲料水に限定されない。例えば、商品モデル２０は、シャンプー、洗剤、化粧品、芳香剤等を模したものであってもよい。
【符号の説明】
【００５９】
１  立体表示体
１０  支持体
１１  パネル部
１２  開口部
１４  枠部
２１  第１シート
２２  第２シート
２３  接合部（第１係合部）
Ｓ１、Ｓ２  隙間（第２係合部）
【図１】
2020154036.tif 000003
【図２】
2020154036.tif 000004
【図３】
2020154036.tif 000005
【図４】
2020154036.tif 000006
【図５】
2020154036.tif 000007
【図６】
2020154036.tif 000008
【図７】
2020154036.tif 000009
【図８】
2020154036.tif 000010
【図９】
2020154036.tif 000011
【図１０】
2020154036.tif 000012